【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
画像により構成されるコンテンツを取得するコンテンツ取得部と、
前記コンテンツを表示部に表示させる表示制御部と、
前記コンテンツを視聴するユーザの左右の瞳孔の間隔を表す瞳孔間隔を取得する瞳孔間隔取得部と、
前記瞳孔間隔に基づいて、所定の処理を行う処理実行部と
を含む表示制御装置。
【請求項２】
前記ユーザまでの距離を表す視聴距離を取得する視聴距離取得部をさらに含み、
前記処理実行部は、前記瞳孔間隔及び前記視聴距離に基づき、前記コンテンツ取得部により取得された第１の前記コンテンツを変更して得られる第２の前記コンテンツを生成する処理を行い、
前記表示制御部は、前記第２のコンテンツを構成する各画像を、前記表示部に表示させる
請求項１に記載の表示制御装置。
【請求項３】
前記処理実行部は、前記第１のコンテンツを構成する各画像の大きさを、前記瞳孔間隔及び前記視聴距離に基づく大きさに変更して得られる前記第２のコンテンツを生成する処理を行う
請求項２に記載の表示制御装置。
【請求項４】
前記コンテンツ取得部は、前記ユーザの左眼に視認させる左眼用２次元画像と、前記ユーザの右眼に視認させる右眼用２次元画像とからなる３次元画像により構成される前記第１のコンテンツを取得し、
前記処理実行部は、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
請求項２に記載の表示制御装置。
【請求項５】
前記処理実行部は、前記瞳孔間隔に基づき決定されるメッセージを、画像又は音声の少
なくとも一方により前記ユーザに提示する処理を行う
請求項１に記載の表示制御装置。
【請求項６】
前記処理実行部は、前記瞳孔間隔に応じた距離だけ離れて前記コンテンツを視聴するように促す前記メッセージを、画像又は音声の少なくとも一方により前記ユーザに提示する処理を行う
請求項５に記載の表示制御装置。
【請求項７】
複数の前記ユーザには、それぞれ、前記ユーザの視界を制限し、前記ユーザ毎に異なるタイミングで前記視界の制限を解除するための装置が装着されており、
前記表示制御部は、前記ユーザが視聴する前記第２のコンテンツを構成する各画像を、前記ユーザ毎に異なる前記タイミングに同期して表示させる
請求項２から６のいずれかに記載の表示制御装置。
【請求項８】
前記瞳孔間隔取得部は、前記コンテンツの視聴時に前記ユーザに装着される送信装置から送信されてくる前記瞳孔間隔を受信して取得する
請求項１から７のいずれかに記載の表示制御装置。
【請求項９】
前記瞳孔間隔取得部は、前記ユーザの瞳孔間隔を算出して取得し、
前記視聴距離取得部は、前記視聴距離を算出して取得する
請求項１から７のいずれかに記載の表示制御装置。
【請求項１０】
画像により構成されるコンテンツを表示させる表示制御装置の表示制御方法において、
前記表示制御装置による、
複数の画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む表示制御方法。
【請求項１１】
コンピュータに、
画像により構成されるコンテンツを取得するコンテンツ取得ステップと、
前記コンテンツを表示部に表示させる表示制御ステップと、
前記コンテンツを視聴するユーザの左右の瞳孔の間隔を表す瞳孔間隔を取得する瞳孔間隔取得ステップと、
前記瞳孔間隔に基づいて、所定の処理を行う処理実行ステップと
を含む処理を実行させるためのプログラム。
【請求項１２】
前記ユーザまでの距離を表す視聴距離を取得する視聴距離取得ステップをさらに含み、
前記処理実行ステップは、前記瞳孔間隔及び前記視聴距離に基づき、前記コンテンツ取得部により取得された第１の前記コンテンツを変更して得られる第２の前記コンテンツを生成する処理を行い、
前記表示制御ステップは、前記第２のコンテンツを前記表示部に表示させる
請求項１１に記載のプログラム。
【請求項１３】
前記処理実行ステップは、前記第１のコンテンツを構成する各画像の大きさを、前記瞳孔間隔及び前記視聴距離に基づく大きさに変更して得られる前記第２のコンテンツを生成する処理を行う
請求項１２に記載のプログラム。
【請求項１４】
前記コンテンツ取得ステップは、前記ユーザの左眼に視認させる左眼用２次元画像と、
前記ユーザの右眼に視認させる右眼用２次元画像とからなる３次元画像により構成される前記第１のコンテンツを取得し、
前記処理実行ステップは、前記第１のコンテンツを構成する前記３次元画像毎に、前記左眼用２次元画像と前記右眼用２次元画像との間に設けられた視差の大きさを表す視差量を、前記瞳孔間隔及び前記視聴距離に基づく視差量に変更して得られる前記第２のコンテンツを生成する処理を行う
請求項１２に記載のプログラム。
【請求項１５】
前記処理実行ステップは、前記瞳孔間隔に基づき決定されるメッセージを、画像又は音声の少なくとも一方により前記ユーザに提示する処理を行う
請求項１１に記載のプログラム。
【請求項１６】
コンテンツの視聴時にユーザに装着される検出装置において、
前記ユーザの左右の瞳孔の間隔を表す瞳孔間隔を検出する瞳孔間隔検出部と、
前記瞳孔間隔を送信する送信部と
を含む検出装置。
【請求項１７】
前記ユーザの左眼の瞳孔の位置に移動される第１の板状部材と、
前記ユーザの右眼の瞳孔の位置に移動される第２の板状部材と、
前記第１の板状部材と前記第２の板状部材との位置合わせに応じて伸縮する可動ブリッジと
をさらに含み、
前記瞳孔間隔検出部は、前記可動ブリッジの長さに基づいて、前記ユーザの瞳孔間隔を検出する
請求項１６に記載の検出装置。
【請求項１８】
前記視聴距離を算出する視聴距離算出部をさらに含み、
前記送信部は、前記視聴距離も送信する
請求項１６に記載の検出装置。
【請求項１９】
コンテンツの視聴時にユーザに装着される検出装置の検出方法において、
前記検出装置による、
前記ユーザの左右の瞳孔の間隔を表す瞳孔間隔を検出する瞳孔間隔検出ステップと、
前記瞳孔間隔を送信する送信ステップと
を含む検出方法。
【請求項２０】
ユーザにより装着される検出装置と、前記ユーザにより視聴されるコンテンツを表示させる表示制御装置とにより構成される表示システムにおいて、
前記検出装置は、
前記ユーザの左右の瞳孔の間隔を表す瞳孔間隔を検出する瞳孔間隔検出部と、
前記瞳孔間隔を送信する送信部と
を含み、
前記表示制御装置は、
画像により構成されるコンテンツを取得するコンテンツ取得部と、
前記コンテンツを表示部に表示させる表示制御部と、
前記送信部から送信されてくる前記瞳孔間隔を受信する瞳孔間隔受信部と、
前記瞳孔間隔に基づいて、所定の処理を行う処理実行部と
を含む表示システム。
【手続補正２】
【補正対象書類名】明細書
【補正対象項目名】００８６
【補正方法】変更
【補正の内容】
【００８６】
右眼用シャッタ２２R1は、ユーザにより３Ｄメガネ２２が装着されたときに、ユーザの右眼の前面に配置される。同様にして、左眼用シャッタ２２L1は、ユーザにより３Ｄメガネ２２が装着されたときに、ユーザの左眼の前面に配置される。
【手続補正３】
【補正対象書類名】明細書
【補正対象項目名】００９４
【補正方法】変更
【補正の内容】
【００９４】
右眼用パネル２２R2及び左眼用パネル２２L2は、それぞれ、ユーザにより、右眼用シャッタ２２R1と左眼用シャッタ２２L1との間隔が調整される際に、右眼用シャッタ２２R1の前面及び左眼用シャッタ２２L1の前面に移動される。
【手続補正４】
【補正対象書類名】明細書
【補正対象項目名】０１１４
【補正方法】変更
【補正の内容】
【０１１４】
ステップＳ４１において、可動ブリッジ２２aは、右眼用シャッタ２２R1と左眼用シャッタ２２L1との間隔が調整されることにより、可動ブリッジ２２aのブリッジ長が変更されたか否かを判定する。
【手続補正５】
【補正対象書類名】明細書
【補正対象項目名】０１２１
【補正方法】変更
【補正の内容】
【０１２１】
第１の実施の形態では、画像処理部４４は、瞳孔間隔pc及び画面対角rdiに基づいて、推奨距離vscを算出し、算出した推奨距離vscでコンテンツを視聴可能な位置に、ユーザを誘導するようにしたが、画像処理部４４が行う処理は、これに限定されない。
【手続補正６】
【補正対象書類名】明細書
【補正対象項目名】０１２３
【補正方法】変更
【補正の内容】
【０１２３】
また、例えば、画像処理部４４は、視聴距離計測部４３からの視聴距離が、所定の閾値未満であるか否かを判定し、視聴距離が、所定の閾値未満ではないと判定されるまで、図９に示すようなメッセージをディスプレイ４５に表示させるようにしてもよい。この場合、テレビジョン受像機２１から離れるまで、コンテンツが表示されないこととなるので、より確実に、テレビジョン受像機２１の近くでコンテンツが視聴される事態を防止することができる。
【手続補正７】
【補正対象書類名】明細書
【補正対象項目名】０１９６
【補正方法】変更
【補正の内容】
【０１９６】
検出部１２３は、瞳孔１４１R及び瞳孔１４１Lについてそれぞれ検出した瞳孔位置を、算出部１２４に供給する。
【手続補正８】
【補正対象書類名】明細書
【補正対象項目名】０２２９
【補正方法】削除
【補正の内容】